(57)【要約】【課題】紙媒体を含む広告素材の管理を行うことができる広告情報管理方法、広告情報管理装置及びコンピュータプログラムを提供する。【解決手段】広告情報管理方法は、広告素材の第１形式データを代理店装置から取得し、取得された第１形式データを第１形式データと異なる第２形式データに変換し、第２形式データに変換された広告素材が所定の審査条件に合格するか否かに応じて第１形式データを印刷会社装置へ出力する。【選択図】図３
2020061098.tif 000002
【特許請求の範囲】
【請求項１】
広告素材の第１形式データを代理店装置から取得し、
取得された第１形式データを前記第１形式データと異なる第２形式データに変換し、
前記第２形式データに変換された広告素材が所定の審査条件に合格するか否かに応じて前記第１形式データを印刷会社装置へ出力する広告情報管理方法。
【請求項２】
変換された前記第２形式データを媒体社装置へ出力する請求項１に記載の広告情報管理方法。
【請求項３】
車両広告、駅広告及びデジタルサイネージ広告の少なくとも一つを含む広告メディアの選択を受け付け、
前記第２形式データに対応付けて前記広告メディアの選択結果を前記媒体社装置へ出力する請求項２に記載の広告情報管理方法。
【請求項４】
広告素材の第３形式データを代理店装置から取得し、
取得された第３形式データの広告素材が所定の審査条件に合格するかを判定する請求項１から請求項３のいずれか一項に記載の広告情報管理方法。
【請求項５】
取得された第３形式データが所定のフォーマットであるか否かを判定し、
前記所定のフォーマットでない場合、前記第３形式データを前記所定のフォーマットに変換し、
前記所定のフォーマットに変換された広告素材が前記所定の審査条件に合格するかを判定する請求項４に記載の広告情報管理方法。
【請求項６】
前記第１形式データ及び前記第２形式データの少なくとも一方のデータを学習モデルに入力し、
前記学習モデルは、
前記少なくとも一方のデータが前記所定の審査条件に合格するか否かの合否情報を出力する請求項４又は請求項５に記載の広告情報管理方法。
【請求項７】
前記学習モデルは、
画像又は映像を教師データとし、さらに前記画像若しくは該画像に含まれる文字、又は前記映像に含まれる画像、文字若しくは音声の少なくとも一つが所定の審査条件に合格するか否かの合否情報を教師データとして学習されている請求項６に記載の広告情報管理方法。
【請求項８】
前記学習モデルが、前記第２形式データの広告素材が前記所定の審査条件に合格する合格情報を出力した場合、前記第２形式データに変換する前の第１形式データを印刷会社装置へ出力する請求項６又は請求項７に記載の広告情報管理方法。
【請求項９】
複数の代理店毎に広告素材が前記所定の審査条件に合格するか否かの合否情報の一覧を出力する請求項１から請求項８のいずれか一項に記載の広告情報管理方法。
【請求項１０】
複数の代理店毎に広告素材の掲出報告までの進捗状況の一覧を出力する請求項１から請求項９のいずれか一項に記載の広告情報管理方法。
【請求項１１】
広告素材の第１形式データを代理店装置から取得する取得部と、
取得した第１形式データを前記第１形式データと異なる第２形式データに変換する変換部と、
前記第２形式データに変換された広告素材が所定の審査条件に合格するか否かに応じて前記第１形式データを印刷会社装置へ出力する出力部と
を備える広告情報管理装置。
【請求項１２】
コンピュータに、
広告素材の第１形式データを代理店装置から取得する処理と、
取得された第１形式データを前記第１形式データと異なる第２形式データに変換する処理と、
前記第２形式データに変換された広告素材が所定の審査条件に合格するか否かに応じて前記第１形式データを印刷会社装置へ出力する処理と
を実行させるコンピュータプログラム。
【発明の詳細な説明】
【技術分野】
【０００１】
本発明は、広告情報管理方法、広告情報管理装置及びコンピュータプログラムに関する。
【背景技術】
【０００２】
駅構内や駅ホーム、電車やバス、ビルなどの建物、店舗や映画館などの商業施設、空港など様々な公共施設では、ネットワークに接続された表示装置に広告などの情報を発信する広告配信システムが使用されている（特許文献１参照）。
【０００３】
このような広告配信システムを用いた広告配信サービスでは、例えば、広告代理店が空枠の確認、広告の申込、広告主からの映像などの広告素材の入稿などの業務を行う。また、広告配信の管理を行う媒体社（管理業者）は、広告の申込の管理、広告素材に不適切な表現が含まれていないかの審査、広告配信のスケジュール管理などの業務を行う。
【先行技術文献】
【特許文献】
【０００４】
【特許文献１】特開２００１−３３８２１６号公報
【発明の概要】
【発明が解決しようとする課題】
【０００５】
一般ユーザに対して広告が提供される場所は様々であり、広告の提供場所に応じて、いわゆるデジタルサイネージのような映像だけでなく、紙媒体（フィルムなども含む）を使った広告も広く行われており、映像や紙媒体などの異なる広告素材を使って同じようなデザインの広告を提供する機会も増加している。
【０００６】
本発明は、斯かる事情に鑑みてなされたものであり、紙媒体を含む広告素材の管理を行うことができる広告情報管理方法、広告情報管理装置及びコンピュータプログラムを提供することを目的とする。
【課題を解決するための手段】
【０００７】
本発明の実施の形態に係る広告情報管理方法は、広告素材の第１形式データを代理店装置から取得し、取得された第１形式データを前記第１形式データと異なる第２形式データに変換し、前記第２形式データに変換された広告素材が所定の審査条件に合格するか否かに応じて前記第１形式データを印刷会社装置へ出力する。
【０００８】
本発明の実施の形態に係る広告情報管理装置は、広告素材の第１形式データを代理店装置から取得する取得部と、取得した第１形式データを前記第１形式データと異なる第２形式データに変換する変換部と、前記第２形式データに変換された広告素材が所定の審査条件に合格するか否かに応じて前記第１形式データを印刷会社装置へ出力する出力部とを備える。
【０００９】
本発明の実施の形態に係るコンピュータプログラムは、コンピュータに、広告素材の第１形式データを代理店装置から取得する処理と、取得された第１形式データを前記第１形式データと異なる第２形式データに変換する処理と、前記第２形式データに変換された広告素材が所定の審査条件に合格するか否かに応じて前記第１形式データを印刷会社装置へ出力する処理とを実行させる。
【発明の効果】
【００１０】
本発明によれば、紙媒体を含む広告素材の管理を行うことができる。
【図面の簡単な説明】
【００１１】
【図１】本実施の形態の広告情報管理システムの構成の一例を示す模式図である。
【図２】媒体社端末装置の構成の一例を示すブロック図である。
【図３】広告情報管理装置の構成の一例を示すブロック図である。
【図４】映像のフォーマット判定のためのチェック対象の一例を示す説明図である。
【図５】本実施の形態の広告情報管理装置によるメディア選択機能の一例を示す模式図である。
【図６】本実施の形態の広告情報管理装置による広告の空き枠確認機能の一例を示す模式図である。
【図７】本実施の形態の広告情報管理装置による広告の申込機能の一例を示す模式図である。
【図８】本実施の形態の広告情報管理装置による広告の申込審査機能の一例を示す模式図である。
【図９】本実施の形態の広告情報管理装置による意匠の入稿機能の一例を示す模式図である。
【図１０】本実施の形態の広告情報管理装置による審査機能の第１例を示す模式図である。
【図１１】本実施の形態の広告情報管理装置による審査機能の第２例を示す模式図である。
【図１２】本実施の形態の広告情報管理装置による審査機能の第３例を示す模式図である。
【図１３】本実施の形態の広告情報管理装置による審査機能の第４例を示す模式図である。
【図１４】本実施の形態の広告情報管理装置による進捗管理機能の一例を示す模式図である。
【図１５】本実施の形態の広告情報管理装置による処理手順の一例を示すフローチャートである。
【図１６】本実施の形態の広告情報管理装置による処理手順の一例を示すフローチャートである。
【発明を実施するための形態】
【００１２】
以下、本発明の実施の形態を図面に基づいて説明する。図１は本実施の形態の広告情報管理システムの構成の一例を示す模式図である。広告情報管理システムは、広告代理店に設けられた代理店端末装置１０、…、１０、媒体社に設けられた媒体社端末装置２０、２０、広告情報管理装置５０、及び印刷会社に設置された印刷会社装置４０が、インターネットなどのネットワーク１を介して接続されている。広告情報管理装置５０は、例えば、代理店端末装置１０及び媒体社端末装置２０に対して、指定代理店機能、媒体社機能、及び広告情報管理機能などをクラウドサービスとして提供することができる。
【００１３】
代理店端末装置１０では、広告情報管理装置５０が提供する機能を用いて、例えば、指定代理店機能として、広告の空枠の確認、広告の申込、広告主からの広告素材（例えば、紙媒体や映像など）の広告素材の入稿などの業務を行うことができる。ここで、紙媒体には、フィルムのような素材も含まれる。
【００１４】
媒体社端末装置２０では、広告情報管理装置５０が提供する機能を用いて、例えば、媒体社機能として、広告の空き枠の管理、広告の申込の管理、広告代理店の審査、広告素材に不適切な表現が含まれていないかの審査（意匠の審査ともいう）などの業務を行うことができる。
【００１５】
審査に合格した広告素材は、媒体社の担当者によって、媒体社端末装置２０を通じて、広告代理店に対して審査合格の通知が行われるとともに、例えば、駅構内や駅ホーム、電車やバス、ビルなどの建物、店舗や映画館などの商業施設、空港など様々な公共施設において、ネットワークに接続された表示装置に配信され、あるいは印刷物が掲出される。
【００１６】
印刷会社装置４０は、審査に合格した紙媒体の印刷用データを取得し、取得した印刷用データを用いて印刷物（ポスターやフィルムなど）を生成する。
【００１７】
図２は媒体社端末装置２０の構成の一例を示すブロック図である。媒体社端末装置２０は、装置全体を制御する制御部２１、通信部２２、記憶部２３、表示パネル２４、表示処理部２５、及び操作部２６を備える。媒体社端末装置２０は、例えば、デスクトップ型コンピュータ、ノート型パーソナルコンピュータ、タブレットなどで構成することができる。制御部２１は、ＣＰＵ、ＲＯＭ及びＲＡＭなどで構成することができる。
【００１８】
通信部２２は、ネットワーク１を介して、代理店端末装置１０、広告情報管理装置５０及び印刷会社装置４０との間で通信を行う機能を有し、所要の情報の送受信を行うことができる。
【００１９】
記憶部２３は、ハードディスク又はフラッシュメモリなどで構成され、広告主を含む広告代理店に関する情報、広告代理店から入稿された画像データ及び映像データ、媒体社端末装置２０で行う処理に関連するデータ（例えば、処理結果のデータ）、広告情報管理装置５０から受信したデータなどを記憶することができる。
【００２０】
表示パネル２４は、液晶パネル又は有機ＥＬ（Electro Luminescence）ディスプレイ等で構成することができる。
【００２１】
表示処理部２５は、表示パネル２４に所要の情報を表示するための制御を行う。表示処理部２５は、例えば、広告代理店毎に入稿された広告素材が所定の審査条件に合格するか否かの合否情報を表示することができる。この場合、広告情報管理装置５０が所定の審査条件に合格するか否かの判定処理を自動で行う。
【００２２】
操作部２６は、例えば、ハードウェアキーボード、マウスなどで構成され、表示パネル２４に表示されたアイコンなどの操作、文字等の入力などを行うことができる。なお、操作部２６は、タッチパネルで構成してもよい。
【００２３】
図３は広告情報管理装置５０の構成の一例を示すブロック図である。広告情報管理装置５０は、装置全体を制御する制御部５１、通信部５２、メモリ５３、フォーマット判定部５４、審査ＤＢ５５、データ形式変換部５６、フォーマット変換部５７、及び処理部５８を備える。処理部５８は、学習モデル５９、及び審査結果出力部６０を備える。広告情報管理装置５０は、１又は複数のサーバで構成することができる。制御部５１は、ＣＰＵ、ＲＯＭ及びＲＡＭなどで構成することができる。
【００２４】
通信部５２は、ネットワーク１を介して、代理店端末装置１０、媒体社端末装置２０及び印刷会社装置４０との間で通信を行う機能を有し、所要の情報の送受信を行うことができる。具体的には、通信部５２は、媒体社端末装置２０が送信した、広告素材としての映像の動画データ、及び広告素材としての紙媒体の画像データを受信することができる。また、通信部５２は、広告素材の審査の合否情報を媒体社端末装置２０へ送信することができる。
【００２５】
通信部５２は、広告素材の第１形式データを代理店端末装置１０から取得する。広告素材は、例えば、デジタルサイネージのように、表示装置などに表示される映像（動画及び静止画など）、ポスターやフィルムなどの紙媒体（印刷物）を含む。第１形式データは、印刷処理が可能な画像（ビットマップ画像やベクトル画像）の制作、編集及び加工等を行う際に用いられるデータ形式である。
【００２６】
データ形式変換部５６は、通信部５２で取得された第１形式データを第１形式データと異なる第２形式データに変換することができる。第２形式データは、第１形式データのように、ビットマップ画像やベクトル画像などの制作や編集等に用いられる専用のデータ形式でなく、ソフトウェア、ハードウェア及びオペレーティングシステムに関係なく、文書や画像を確実に表示することができるデータ形式であり、例えば、ＰＤＦ（Portable Document Format）とすることができる。
【００２７】
また、通信部５２は、広告素材の第３形式データを代理店端末装置１０から取得する。第３形式データは、表示装置などに表示される映像のデータ形式である。
【００２８】
メモリ５３は、通信部５２で受信した映像をフレーム単位で記憶することができる。映像には、フレーム単位の画像、文字、音声などが含まれている。フレームレートが、例えば、３０ｆｐｓの場合、映像には、１秒間に３０枚のフレーム（画像）が含まれる。
【００２９】
フォーマット判定部５４は、通信部５２で受信した映像のフォーマットが、所定のフォーマットに一致するか否かを判定し、判定結果を出力する。所定のフォーマットは、映像を配信するために予め定められたフォーマットである。
【００３０】
図４は映像のフォーマット判定のためのチェック対象の一例を示す説明図である。映像の形式チェック対象（フォーマットのチェック項目）は、動画用パラメータ、音声用パラメータ及び静止画用パラメータに分けることができる。動画用パラメータとしては、例えば、ファイルサイズ、動画の横幅及び縦幅、動画の長さ、ビットレート、フレームレート、及びＶＢＲ（Variable Bit Rate）からＣＢＲ（Constant Bit Rate）への変換の要否などをチェックし、これらのパラメータが所定の形式でない場合には、所定の形式に変換する。
【００３１】
音声用パラメータとしては、例えば、サンプリング周波数、ステレオからモノラルへの変換の要否、ビットレート及び音の良さを決定する量子化ビットなどをチェックし、これらのパラメータが所定の形式でない場合には、所定の形式に変換する。また、静止画用パラメータとしては、例えば、ファイルサイズ、静止画の横幅及び縦幅、及びＣＭＹＫからＲＧＢへの変換の要否などをチェックし、これらのパラメータが所定の形式でない場合には、所定の形式に変換する。映像を配信する場合のフォーマットは、所定のフォーマットに定められているが、広告主が制作する映像のフォーマットは、必ずしも配信用のフォーマットと一致しない場合がある。
【００３２】
フォーマット変換部５７は、通信部５２で受信した映像のフォーマットが、所定のフォーマットに一致しない場合、所定のフォーマットに変換することができる。なお、フォーマット判定部５４及びフォーマット変換部５７は、広告情報管理装置５０とは別の動画変換サーバ（不図示）などに設けることもできる。
【００３３】
審査ＤＢ５５は、審査に必要な情報を記憶することができ、例えば、媒体社毎の広告審査基準などの情報を処理部５８がアクセスできる形式でデータベース化したものである。また、審査ＤＢ５５は、自然言語処理に必要な辞書データを記憶している。
【００３４】
次に、処理部５８について説明する。なお、処理部５８は、例えば、ＣＰＵ（例えば、複数のプロセッサコアを実装したマルチ・プロセッサなど）、ＧＰＵ（Graphics Processing Units）、ＤＳＰ（Digital Signal Processors）、ＦＰＧＡ（Field-Programmable Gate Arrays）などのハードウェアを組み合わせることによって構成することができる。また、量子プロセッサを組み合わせることもできる。
【００３５】
学習モデル５９は、多層のニューラルネットワークを用いることができ、例えば、畳み込みニューラルネットワーク（Convolutional Neural Network）及びリカレントニューラルネットワーク（Recurrent Neural Network）を用いることができるが、他の機械学習を用いてもよい。学習モデル５９は、第１形式データ及び第２形式データの少なくとも一方のデータ及び所定の審査条件に合格するのか否かを示す合否情報を学習データとして用いて生成することができる。
【００３６】
これにより、第１形式データ及び第２形式データの少なくとも一方のデータを学習モデル５９に入力すると、学習モデル５９は、第１形式データ及び第２形式データの少なくとも一方のデータが所定の審査条件に合格するか否かの合否情報を出力することができる。
【００３７】
これにより、紙媒体の広告（画像及び画像に含まれる文字）が所定の審査条件に合格するのか否かを自動的に判定し、合否情報を出力することができる。
【００３８】
また、学習モデル５９は、第３形式データとしての映像を教師データとし、さらに映像に含まれる画像、文字若しくは音声の少なくとも一つが所定の審査条件に合格するか否かの合否情報を教師データとして用いて生成することができる。そして、映像データを学習モデル５９に入力すると、学習モデル５９は、映像データが所定の審査条件に合格するか否かの合否情報を出力することができる。これにより、映像の広告が所定の審査条件に合格するのか否かを自動的に判定し、合否情報を出力することができる。
【００３９】
より具体的には、学習モデル５９は、入力層、畳み込み層、プーリング層、全結合層及び出力層などで構成される。入力層には、広告素材が映像の場合、映像に含まれる画像がフレーム単位で入力される。出力層は、フレーム単位で画像の合否情報を出力することができる。また、入力層には、広告素材が紙媒体（フィルムを含む）の場合、画像が入力される。出力層は、画像の合否情報を出力することができる。
【００４０】
出力層を２つの出力ノードで構成し、所定の審査条件に合格する確率、及び不合格となる確率（信頼度）を出力してもよく、あるいは、合格又は不合格の少なくとも一方の信頼度を複数の区分（例えば、信頼度＝１００％、９５％、９０％、８５％、８０％、…、０％の如く）に分けて、区分の数だけ出力ノードを設け、各区分の確率を出力してもよい。
【００４１】
また、出力層を複数の出力ノードで構成し、それぞれのノードを、画像が所定の審査条件に合格しない理由を定め、各理由の確率を出力してもよい。理由は、例えば、「肌の露出」、「性に関する表現」、「暴力的な表現」などとすることができるが、これらに限定されない。
【００４２】
また、出力層を複数の出力ノードで構成し、それぞれのノードを、音声又は文字が所定の審査条件に合格しない理由を定め、各理由の確率を出力してもよい。理由は、例えば、「世界一の」、「業界初の」、「万能」などの表現を意味する文章又は音声の存在とすることができるが、これらに限定されない。
【００４３】
審査結果出力部６０は、学習モデル５９の出力値に基づいて審査結果情報を出力することができる。
【００４４】
次に、本実施の形態の広告情報管理方法（広告情報管理システムの動作）について説明する。
【００４５】
図５は本実施の形態の広告情報管理装置５０によるメディア選択機能の一例を示す模式図である。図５に示すメディア選択画面１０１は、代理店端末装置１０の表示パネルに表示され、広告代理店の担当者がメディアを選択することができる。
【００４６】
制御部５１は、車両広告、駅広告及びデジタルサイネージ広告の少なくとも一つを含む広告メディアの選択を代理店端末装置１０から受け付ける。広告メディアは、車両広告、駅広告及びデジタルサイネージ広告の他に、例えば、屋外広告、バス広告、ネット広告、マス広告などを含めることができる。また、車両広告には、中づり、まど上、ドア横、ドア上、つり革、ステッカーなどが含まれる。なお、車両広告は、これらに限定されるものではなく、例えば、車両ビジョンなどを含めることもできる。
【００４７】
図５の例では、メディア１０２として、「車両メディア」が選択され、選択された「車両メディア」の掲出場所１０３として「中づり」が選択され、路線区分１０４として「名古屋エリア」が選択された状態を示す。決定アイコン１０５を操作することにより、メディアの選択結果が広告情報管理装置５０へ出力される。また、クリアアイコン１０６を操作することにより、選択をやり直すことができる。
【００４８】
図６は本実施の形態の広告情報管理装置５０による広告の空き枠確認機能の一例を示す模式図である。図６に示す空き枠確認画面１１１は、代理店端末装置１０の表示パネルに表示され、広告代理店の担当者が広告の空き枠を確認することができる。図６に示すように、広告を掲出する際の空き枠の数、空き枠の月日などが表示され、広告代理店の担当者は、広告主の要求に基づいて、所望の空き枠を申し込むことができる。枠アイコン１１２を操作することにより、所望の月日及び空き枠数を設定できる。選択アイコン１１３を操作することにより、設定結果が広告情報管理装置５０へ出力される。また、クリアアイコン１１４を操作することにより、設定をやり直すことができる。
【００４９】
図７は本実施の形態の広告情報管理装置５０による広告の申込機能の一例を示す模式図である。図７に示す申込み画面１２１は、代理店端末装置１０の表示パネルに表示され、広告代理店の担当者が広告の申込みを行うことができる。図７に示すように、申込期間欄１２２、枠数欄１２３、広告主名欄１２４、広告内容欄１２５、コメント欄１２６に表示された内容を確認し、内容が正しければ確認アイコン１２７を操作することにより、申込みが完了する。また、クリアアイコン１２８を操作することにより、申込み内容をクリアすることができる。
【００５０】
図８は本実施の形態の広告情報管理装置５０による広告の申込審査機能の一例を示す模式図である。図８に示す申込み審査画面２０１は、図７に例示する申込み画面１２１で申込みが完了すると、媒体社端末装置２０の表示パネル２４に表示され、媒体社の担当者が広告の申込みの審査を行うことができる。図８に示すように、詳細アイコン２０２を操作すると申込み内容の詳細を表示することができる。媒体社の担当者は、申込み内容に不備がなければ申込みＯＫアイコン２０３を操作し、申込み内容に不備がある場合、コメント欄２０５にコメントを入力して申込みＮＧアイコン２０４を操作することができる。
【００５１】
図９は本実施の形態の広告情報管理装置５０による意匠の入稿機能の一例を示す模式図である。図９に示す入稿画面１３１は、図８に例示する申込み審査画面２０１で申込み審査が完了すると、代理店端末装置１０の表示パネルに表示され、広告代理店の担当者が広告素材の入稿（意匠の入稿ともいう）を行うことができる。図９に示すように、動画のファイル（広告素材が映像の場合）又は画像のファイル（広告素材がフィルムを含む紙媒体の場合）をファイル領域１３２にドロップするか、あるいは選択アイコン１３３を操作してファイルを選択し、素材名欄１３４に素材名を入力することにより、広告素材であるファイルが広告情報管理装置５０へ出力される。
【００５２】
図１０は本実施の形態の広告情報管理装置５０による審査機能の第１例を示す模式図である。図１０に示す紙媒体審査画面２１１は、図９に例示する入稿画面１３１で紙媒体の広告素材、すなわち画像のファイルが入稿されると、媒体社端末装置２０の表示パネル２４に表示される。画像表示領域２１２には、広告素材の画像データがＰＤＦ形式のデータに変換された画像が表示される。
【００５３】
すなわち、データ形式変換部５６は、代理店端末装置１０からアップロードされた第１形式データを第２形式データ（例えば、ＰＤＦ形式のデータ）に変換することができる。制御部５１は、データ形式変換部５６で変換したＰＤＦ形式のデータを媒体社端末装置２０へ出力する。表示処理部２５は、ＰＤＦ形式の画像を表示パネル２４に表示する。
【００５４】
上述の構成により、媒体社では、紙媒体用の専用の制作アプリケーションがインストールされていない媒体社端末装置２０でも紙媒体の広告素材の画像を簡単に表示することができ、広告素材の審査を簡単に行うことができる。
【００５５】
媒体社の担当者は、画像表示領域２１２に表示された画像を確認して、広告審査基準などに規定されている審査条件に合格するか否かを判断することができる。担当者は、審査基準に合格すると判断した場合には、入稿審査ＯＫアイコン２１４を操作し、審査基準に合格しないと判断した場合には、コメント欄２１６にコメントを入力して、入稿審査ＮＧアイコン２１５を操作することができる。担当者による審査結果は、広告情報管理装置５０に出力される。
【００５６】
また、結果表示領域２１３には、広告メディア選択結果が表示される。広告メディア選択結果は、前述の図５に例示したメディア選択画面１０１で決定した内容を含む。
【００５７】
すなわち、制御部５１は、ＰＤＦ形式のデータに対応付けて広告メディアの選択結果を媒体社端末装置２０へ出力する。表示処理部２５は、広告メディアの選択結果を表示パネル２４に表示する。広告メディアの選択結果には、選択の結果、掲出場所に応じて決定される印刷物のサイズ（縦横の寸法）などが含まれる。
【００５８】
これにより、媒体社は、同じようなデザインの広告であっても広告の掲出場所の違いによるサイズの違い等を考慮して所定の審査条件に合格するか否かを判定できるので、審査の効率を高めることができる。
【００５９】
制御部５１は、ＰＤＦ（第２形式データ）に変換された広告素材が所定の審査条件に合格する場合、当該ＰＤＦに対応する第１形式データを印刷会社装置４０へ出力することができる。広告素材の第１形式データを印刷会社装置４０へ出力することにより、印刷物（紙媒体の広告）を制作することができる。
【００６０】
上述の構成により、広告素材の中に紙媒体が含まれる場合でも、所定の審査条件に合格するか否かに応じて印刷物を制作することができ、紙媒体を含む広告素材の管理を行うことができる。
【００６１】
図１１は本実施の形態の広告情報管理装置５０による審査機能の第２例を示す模式図である。図１１に示す審査要求画面２２１は、媒体社端末装置２０の表示パネル２４に表示される。媒体社端末装置２０は、複数の広告代理店から入稿された広告素材を広告情報管理装置５０にアップロード（送信）して、広告素材が所定の審査条件に合格するか否かの判定を要求することができる。審査要求画面２２１には、申込ＩＤ、代理店名毎に、広告主名、広告内容、入稿素材、広告素材の種類（映像の場合には、例えば「デジタル」、紙媒体の場合には、例えば「紙」など）、アップロードアイコン２２２が表示される。媒体社の担当者は、広告代理店から入稿された入稿素材の一覧の中から、広告情報管理装置５０による自動審査を行う入稿素材を選択して、広告情報管理装置５０に送信することができる。
【００６２】
図１２は本実施の形態の広告情報管理装置５０による審査機能の第３例を示す模式図である。図１２に示す審査結果一覧画面２３１は、媒体社端末装置２０の表示パネル２４に表示される。審査結果一覧画面２３１には、例えば、ＩＤ、代理店名、入稿素材（映像又は紙媒体）、審査結果、信頼度、審査結果の詳細画面を表示するためのアイコン２３２、フォーマット判定、フォーマット変換、審査完了通知を代理店端末装置１０に送信するためのアイコン２３３などが表示される。
【００６３】
すなわち、制御部５１は、複数の広告代理店毎に入稿された広告素材が所定の審査条件に合格するか否かの合否情報（図１２の例では、審査結果がＯＫとその信頼度、及び審査結果がＮＧとその信頼度）の一覧を媒体社端末装置２０に出力することができる。これにより、複数の広告代理店毎に取得した複数の広告素材のうち、審査結果がＯＫの広告素材については、手作業による確認作業（審査条件に合格しているか否かの確認作業）を必要としないので、手作業による確認作業を必要とする広告素材と、手作業による確認作業を必要としない広告素材とを区別することができ、広告素材の審査時間を短縮化することができる。
【００６４】
また、制御部５１は、広告素材が審査条件に合格しないと判定された場合、複数の広告代理店毎に判定結果の信頼度を媒体社端末装置２０に出力してもよい。これにより、媒体社の担当者は、不合格判定の信頼度（確率）が低い場合には、広告素材に不適切な表現が含まれている可能性は低いとして手作業による審査業務を省略することができ、広告素材の審査時間を短縮化することができる。また、不合格判定の信頼度が高い場合には、広告素材に不適切な表現が含まれている可能性が高いとして、当該広告素材に集中して確認作業を行うことができ、広告素材の審査時間を短縮化することができる。
【００６５】
図１２の例で、審査担当者が、ＩＤがＭ１の入稿素材（Ｄ０００１）の審査結果がＯＫであり、審査結果の信頼度が９０％であるから、信頼できると判断した場合、審査完了通知のアイコン２３３を操作することにより、広告代理店ＡＡＡの代理店端末装置１０に審査完了通知が送信される。なお、審査結果ＯＫの信頼度が、どの程度であれば広告代理店に対して審査完了を通知するかは、媒体社の担当者が適宜決めることができる。
【００６６】
また、予め所定の閾値（例えば、９０％）を設定しておき、学習モデル５９が、合格判定の確率が所定の閾値以上の審査合格を出力した場合、審査完了（審査合格）通知を自動的に代理店端末装置１０に送信してもよい。
【００６７】
上述の構成により、広告素材の内容を手作業で確認することなく、広告代理店に審査合格を通知することができるので、担当者の作業効率を向上することができる。
【００６８】
フォーマット判定がＮＧの入稿素材（図１２の例では、Ｄ０００２）のフォーマット変換アイコンを操作することにより、フォーマット変換を行うことができる。
【００６９】
また、学習モデル５９が、ＰＤＦ形式の広告素材が所定の審査条件に合格する合格情報を出力した場合、制御部５１は、ＰＤＦに変換する前の第１形式データを印刷会社装置４０へ出力することができる。これにより、紙媒体の広告が所定の審査条件に合格すると判定された場合、印刷処理が可能な画像データが印刷会社装置４０へ出力されるので、紙媒体の広告の印刷までの業務の効率を良くすることができる。
【００７０】
次に、審査結果の詳細情報について説明する。
【００７１】
図１３は本実施の形態の広告情報管理装置５０による審査機能の第４例を示す模式図である。図１３に示す審査結果詳細画面２４１は、媒体社端末装置２０の表示パネル２４に表示される。図１３の例では、入稿素材がＤ０００５、審査結果がＮＧ、審査結果の信頼度が９０％の場合について図示されている。すなわち、図１３の審査結果詳細画面２４１は、図１２の例において、ＩＤがＭ５、広告代理店がＥＥＥの入稿素材Ｄ０００５の審査結果について詳細画面を表示するためのアイコン２３２が操作されることによって、表示される。
【００７２】
広告情報管理装置５０の処理部５８によって、入稿された映像（入稿素材：Ｄ０００５）が審査条件に不合格であると判定された場合、映像のどの箇所に不適切な広告表現があるかを、画像領域２４２と音声・文字領域２４３で表示することができる。画像領域２４２では、映像の最初から最後までのフレームが順番に表示され、不適切な描画があるフレーム（複数フレームでもよい）２４４、２４５が識別可能に表示される。フレーム２４４とフレーム２４５とでは、審査結果がＮＧの信頼度に応じて表示態様が異なる（便宜上、図では、模様を異ならせている）。例えば、審査結果がＮＧの信頼度が高いフレームを濃く表示すること、あるいは際立って目立つ色（例えば、赤色）とし、審査結果がＮＧの信頼度が低いフレームを薄く表示すること、あるいは多少目立つ色（例えば、黄色）とすることができる。
【００７３】
また、担当者が、フレーム２４４に対して、所定の操作（例えば、クリック、ダブルクリックなど）を行うと、フレーム２４４のサムネイル（画像情報）を表示することができる。また、サムネイルの表示態様は、審査結果の信頼度に応じて、異なるようにしてもよい。例えば、信頼度の高いサムネイルは、枠を付けて強調表示し、あるいは目立つ色を付与してもよい。これにより、担当者は、実際に画像で不適切な描画を確認することができる。サムネイルの表示は、図示していないが、フレームの近くにポップアップ画面で表示してもよく、審査結果詳細画面２４１内の所定領域にサムネイル用の領域を予め設けていてもよい。
【００７４】
担当者が、スライド２４８をフレーム２４４の位置に移動させると、理由説明画面２５０に、フレーム２４４の位置（例えば、映像の開始時点からの経過時間：図の例では、２分４０秒）、フレーム２４４に関する審査結果ＮＧの信頼度（図の例では、９０％）、審査結果がＮＧとなる理由（図の例では、肌の露出）などが表示される。審査担当者がスライド２４８をフレーム２４５の位置に移動させると、理由説明画面２５０には、フレーム２４５についての同様の情報が表示される。
【００７５】
音声・文字領域２４３では、映像の最初から最後までのフレームが順番に表示され、不適切な音声又は文字があるフレーム（複数フレームでもよい）２４６、２４７が識別可能に表示される。フレーム２４６とフレーム２４７とでは、審査結果がＮＧの信頼度に応じて表示態様が異なる（便宜上、図では、模様を異ならせている）。例えば、審査結果がＮＧの信頼度が高いフレームを濃く表示すること、あるいは際立って目立つ色（例えば、赤色）とし、審査結果がＮＧの信頼度が低いフレームを薄く表示すること、あるいは多少目立つ色（例えば、黄色）とすることができる。
【００７６】
担当者が、スライド２４９をフレーム２４７の位置に移動させると、理由説明画面２５１に、フレーム２４７の位置（例えば、映像の開始時点からの経過時間：図の例では、３分２０秒）、フレーム２４７に関する審査結果ＮＧの信頼度（図の例では、９０％）、審査結果がＮＧとなる理由（図の例では、「世界一の」の表現）などが表示される。担当者がスライド２４９をフレーム２４６の位置に移動させると、理由説明画面２５１には、フレーム２４６についての同様の情報が表示される。また、「世界一の」などの文字情報の表示態様は、審査結果の信頼度に応じて、異なるようにしてもよい。例えば、信頼度の高い文字情報は、枠を付けて強調表示し、あるいは目立つ色を付与してもよい。
【００７７】
なお、フレーム毎の審査結果ＮＧの信頼度が異なる場合、各フレームについての信頼度の平均を入稿素材全体の審査結果ＮＧの信頼度としてもよく、各フレームについての信頼度のうち、最も信頼度の低いものを入稿素材全体の審査結果ＮＧの信頼度としてもよい。
【００７８】
上述のように、処理部５８は、取得した映像を構成する複数のフレームのうち審査条件に合格しないフレームを識別する識別情報を出力することができる。識別情報は、図１３に示すように、フレームに色、模様を付してもよく、フレームの枠を強調表示してもよく、フレームの上部又は下部にマークを付してもよい。映像の長さ、フレームレートは予め設定されているので、審査条件に合格しないフレーム（連続する複数のフレームでもよい）が分かれば、例えば、映像の開始から何秒後のフレームに不適切な表現があるか容易に把握することができる。
【００７９】
紙媒体の広告素材が所定の審査条件に合格するか否かの判定を、媒体社の担当者による手動判定ではなく、広告情報管理装置５０の処理部５８が行う場合、その審査結果の詳細も、図１３のような審査結果詳細画面で表示することができる。この場合、広告素材の画像を表示するとともに、例えば、「世界一の」の表現が画像中に存在するときは、「世界一の」の画像上での位置を表示すること、審査結果の信頼度を表示することができる。また、広告素材の画像中に「肌の露出」がある場合、「肌の露出」の画像上での位置を表示すること、審査結果の信頼度を表示することができる。
【００８０】
図１４は本実施の形態の広告情報管理装置５０による進捗管理機能の一例を示す模式図である。図１４に示す進捗画面２６１は、媒体社端末装置２０の表示パネル２４に表示される。制御部５１は、複数の代理店毎に広告素材（例えば、紙媒体又は映像）の掲出報告までの進捗状況の一覧を媒体社端末装置２０に出力することができる。図１４に示すように、進捗状況は、例えば、映像が所定のフォーマットであるか否かの判定結果（図１４の例では「フォーマット」）、広告素材が所定の審査条件に合格したか否か（図１４の例では「入稿審査」）、映像の広告が配信されたか否か（図１４の例では「広告配信」）、紙媒体の広告が印刷完了したか否か（図１４の例では「印刷完了」）、掲出完了したか否か（図１４の例では「掲出完了」）等のイベントを含めることができる。これにより、広告素材の掲出報告までのプロセスの進捗状況を代理店毎に管理することができる。
【００８１】
図１５及び図１６は本実施の形態の広告情報管理装置５０による処理手順の一例を示すフローチャートである。以下では、便宜上、処理の主体を制御部５１として説明する。制御部５１は、メディア選択受付処理を行い（Ｓ１１）、広告申込受付処理を行う（Ｓ１２）。制御部５１は、素材入稿処理を行い（Ｓ１３）、入稿された広告素材の中に映像データがあるか否かを判定する（Ｓ１４）。
【００８２】
映像データがある場合（Ｓ１４でＹＥＳ）、制御部５１は、映像データのフォーマットが所定のフォーマットであるか否かを判定し（Ｓ１５）、所定のフォーマットでない場合（Ｓ１５でＮＯ）、映像データのフォーマットを変換し（Ｓ１６）、後述のステップＳ１７の処理を行う。
【００８３】
映像データがない場合（Ｓ１４でＮＯ）、あるいは映像データのフォーマットが所定のフォーマットである場合（Ｓ１５でＹＥＳ）、制御部５１は、紙媒体用の画像データの有無を判定し（Ｓ１７）、画像データがある場合（Ｓ１７でＹＥＳ）、画像データをＰＤＦに変換し（Ｓ１８）、後述のステップＳ１９の処理を行う。
【００８４】
紙媒体用の画像データがない場合（Ｓ１７でＮＯ）、制御部５１は、目視による審査を実施するか否かを判定する（Ｓ１９）。なお、目視による審査を実施するか否かは、予め設定しておくことができる。目視による審査を実施する場合（Ｓ１９でＹＥＳ）、制御部５１は、媒体社端末装置２０からの審査結果を受け付ける処理を行い（Ｓ２０）、後述のステップＳ２１の処理を行う。なお、審査条件に合格するとの審査結果を受け付けた場合、制御部５１は、ＰＤＦに変換する前の画像データを印刷会社装置４０へ出力することができる。
【００８５】
目視による審査を実施しない場合（Ｓ１９でＮＯ）、制御部５１は、処理部５８による自動審査を行い（Ｓ２１）、広告素材の審査結果を出力し（Ｓ２２）、審査結果を媒体社端末装置２０へ送信する（Ｓ２３）。制御部５１は、進捗管理処理を行い（Ｓ２４）、進捗状況を媒体社端末装置２０へ送信する（Ｓ２５）。制御部５１は、処理を終了するか否かを判定し（Ｓ２６）、処理を終了しない場合（Ｓ２６でＮＯ）、ステップＳ１１以降の処理を続け、処理を終了する場合（Ｓ２６でＹＥＳ）、処理を終了する。
【００８６】
本実施の形態の広告情報管理装置５０は、ＣＰＵ（プロセッサ）、ＧＰＵ、ＲＡＭ（メモリ）などを備えた汎用コンピュータを用いて実現することもできる。すなわち、図１５及び図１６に示すような、各処理の手順を定めたコンピュータプログラムをコンピュータに備えられたＲＡＭ（メモリ）にロードし、コンピュータプログラムをＣＰＵ（プロセッサ）で実行することにより、コンピュータ上で広告情報管理装置５０を実現することができる。コンピュータプログラムは記録媒体に記録され流通されてもよい。広告情報管理装置５０又は他のコンピュータで生成した学習モデル５９及びそれに基づくコンピュータプログラムを、ネットワーク１を介して、媒体社端末装置２０に配信してインストールしてもよい。
【００８７】
本実施の形態の広告情報管理方法は、広告素材の第１形式データを代理店装置から取得し、取得された第１形式データを前記第１形式データと異なる第２形式データに変換し、前記第２形式データに変換された広告素材が所定の審査条件に合格するか否かに応じて前記第１形式データを印刷会社装置へ出力する。
【００８８】
本実施の形態の広告情報管理装置は、広告素材の第１形式データを代理店装置から取得する取得部と、取得した第１形式データを前記第１形式データと異なる第２形式データに変換する変換部と、前記第２形式データに変換された広告素材が所定の審査条件に合格するか否かに応じて前記第１形式データを印刷会社装置へ出力する出力部とを備える。
【００８９】
本実施の形態のコンピュータプログラムは、コンピュータに、広告素材の第１形式データを代理店装置から取得する処理と、取得された第１形式データを前記第１形式データと異なる第２形式データに変換する処理と、前記第２形式データに変換された広告素材が所定の審査条件に合格するか否かに応じて前記第１形式データを印刷会社装置へ出力する処理とを実行させる。
【００９０】
広告情報管理方法は、広告素材の第１形式データを代理店装置から取得する。代理店装置は、広告代理店の担当者が使用する情報処理装置である。広告代理店は、例えば、広告の空枠の確認、広告の申込、広告主からの映像や画像などの広告素材の入稿などの業務が行われる。
【００９１】
広告素材は、例えば、デジタルサイネージのように、表示装置などに表示される映像（動画及び静止画など）、ポスターやフィルムなどの紙媒体（印刷物）を含む。第１形式データは、印刷処理が可能な画像データ（ビットマップ画像やベクトル画像）の制作、編集及び加工等を行う際に用いられるデータ形式である。
【００９２】
広告情報管理方法は、取得された第１形式データを第１形式データと異なる第２形式データに変換する。第２形式データは、第１形式データのように、ビットマップ画像やベクトル画像などの制作や編集等に用いられる専用のデータ形式でなく、ソフトウェア、ハードウェア、オペレーティングシステムに関係なく、文書や画像を確実に表示することができるデータ形式であり、例えば、ＰＤＦ（Portable Document Format）とすることができる。
【００９３】
広告情報管理方法は、第２形式データに変換された広告素材が所定の審査条件に合格するか否かに応じて第１形式データを印刷会社装置へ出力する。所定の審査条件は、広告素材に含まれる画像又は文字が広告表現上、適切な表現であるか否かの条件とすることができる。不適切な表現が含まれていない場合には審査条件に合格する（合格となる）。所定の審査条件に合格するか否かの判定は、目視による手動判定でもよく、機械が自動的に判定してもよい。例えば、所定の審査条件に合格する場合には、広告素材の第１形式データを印刷会社装置へ出力することにより、印刷物（紙媒体の広告）を制作することができる。
【００９４】
上述の構成により、広告素材の中に紙媒体が含まれる場合でも、所定の審査条件に合格するか否かに応じて印刷物を制作することができ、紙媒体を含む広告素材の管理を行うことができる。
【００９５】
本実施の形態の広告情報管理方法は、変換された前記第２形式データを媒体社装置へ出力する。
【００９６】
広告情報管理方法は、変換された第２形式データを媒体社装置へ出力する。媒体社装置は、例えば、媒体社の担当者が使用する情報処理装置である。媒体社は、広告配信の管理を行う管理業者であり、媒体社装置では、広告の空き枠管理、広告の申込の管理、広告素材に不適切な表現が含まれていないかの審査、広告素材（紙媒体を含む）のスケジュール管理などの業務が行われる。
【００９７】
上述の構成により、媒体社では、紙媒体用の専用の制作アプリケーションがインストールされていない装置でも紙媒体の広告素材（画像）を簡単に表示することができ、広告素材の審査を簡単に行うことができる。
【００９８】
本実施の形態の広告情報管理方法は、車両広告、駅広告及びデジタルサイネージ広告の少なくとも一つを含む広告メディアの選択を受け付け、前記第２形式データに対応付けて前記広告メディアの選択結果を前記媒体社装置へ出力する。
【００９９】
広告情報管理方法は、車両広告、駅広告及びデジタルサイネージ広告の少なくとも一つを含む広告メディアの選択を受け付ける。広告メディアは、車両広告、駅広告及びデジタルサイネージ広告の他に、例えば、屋外広告、バス広告、ネット広告、マス広告などを含めることができる。また、車両広告には、中づり、まど上、ドア横、ドア上、つり革、ステッカーなどが含まれる。なお、車両広告は、これらに限定されるものではなく、例えば、車両ビジョンなどを含めることもできる。
【０１００】
広告情報管理方法は、第２形式データに対応付けて広告メディアの選択結果を媒体社装置へ出力する。広告メディアの選択結果には、選択の結果、掲出場所に応じて決定される印刷物のサイズ（縦横の寸法）などが含まれる。これにより、媒体社は、同じ広告内容（同じ意匠）であっても広告の掲出場所の違いによるサイズの違い等を考慮して所定の審査条件に合格するか否かを判定できるので、審査の効率を高めることができる。
【０１０１】
本実施の形態の広告情報管理方法は、広告素材の第３形式データを代理店装置から取得し、取得された第３形式データの広告素材が所定の審査条件に合格するかを判定する。
【０１０２】
広告情報管理方法は、広告素材の第３形式データを代理店装置から取得し、取得された第３形式データの広告素材が所定の審査条件に合格するかを判定する。第３形式データは、表示装置などに表示される映像（動画及び静止画など）のデータ形式である。これにより、デジタルサイネージのように、表示装置などに表示される映像についても、所定の審査条件に合格するか否かを判定することができ、紙媒体を含む広告素材の管理を行うことができる。
【０１０３】
本実施の形態の広告情報管理方法は、取得された第３形式データが所定のフォーマットであるか否かを判定し、前記所定のフォーマットでない場合、前記第３形式データを前記所定のフォーマットに変換し、前記所定のフォーマットに変換された広告素材が前記所定の審査条件に合格するかを判定する。
【０１０４】
広告情報管理方法は、取得された第３形式データが所定のフォーマットであるか否かを判定する。フォーマットは、映像（動画及び静止画）を構成するためのファイルの情報であり、例えば、ファイル名（ファイル形式）、圧縮方式、動画ビットレート、フレームレート、解像度、音声、音声ビットレート、周波数、チャンネル、動画の長さなどの情報を含む。映像を配信する場合のフォーマットは、所定のフォーマットに定められているが、広告主が制作する映像のフォーマットは、必ずしも配信用のフォーマットと一致しない場合がある。
【０１０５】
広告情報管理方法は、取得された第３形式データが所定のフォーマットでない場合、第３形式データを所定のフォーマットに変換し、所定のフォーマットに変換された広告素材が所定の審査条件に合格するかを判定する。これにより、フォーマットの修正を必要とする映像については、所定のフォーマットに変換されて審査条件に合格するか否かを判定することができ、作業効率を向上することができる。
【０１０６】
本実施の形態の広告情報管理方法は、前記第１形式データ及び前記第２形式データの少なくとも一方のデータを学習モデルに入力し、前記学習モデルは、前記少なくとも一方のデータが前記所定の審査条件に合格するか否かの合否情報を出力する。
【０１０７】
第１形式データ及び第２形式データの少なくとも一方のデータを学習モデルに入力し、学習モデルは、少なくとも一方のデータが所定の審査条件に合格するか否かの合否情報を出力する。学習モデルは、多層のニューラルネットワーク（深層学習）を用いることができ、例えば、畳み込みニューラルネットワーク（Convolutional Neural Network）及びリカレントニューラルネットワーク（ＲＮＮ）を用いることができるが、他の機械学習を用いてもよい。学習モデルは、第１形式データ及び第２形式データの少なくとも一方のデータ及び所定の審査条件に合格するのか否かを示す合否情報を学習データとして用いて生成することができる。
【０１０８】
これにより、紙媒体の広告（画像及び画像に含まれる文字）が所定の審査条件に合格するのか否かを自動的に判定し、合否情報を出力することができる。
【０１０９】
本実施の形態の広告情報管理方法は、前記学習モデルは、画像又は映像を教師データとし、さらに前記画像若しくは該画像に含まれる文字、又は前記映像に含まれる画像、文字若しくは音声の少なくとも一つが所定の審査条件に合格するか否かの合否情報を教師データとして学習されている。
【０１１０】
学習モデルは、画像又は映像を教師データとし、さらに画像若しくは該画像に含まれる文字、又は映像に含まれる画像、文字若しくは音声の少なくとも一つが所定の審査条件に合格するか否かの合否情報を教師データとして学習されている。これにより、紙媒体の広告及び映像の広告が所定の審査条件に合格するのか否かを自動的に判定し、合否情報を出力することができる。
【０１１１】
本実施の形態の広告情報管理方法は、前記学習モデルが、前記第２形式データの広告素材が前記所定の審査条件に合格する合格情報を出力した場合、前記第２形式データに変換する前の第１形式データを印刷会社装置へ出力する。
【０１１２】
学習モデルが、第２形式データの広告素材が所定の審査条件に合格する合格情報を出力した場合、第２形式データに変換する前の第１形式データを印刷会社装置へ出力する。これにより、紙媒体の広告が所定の審査条件に合格すると判定された場合、印刷処理が可能な画像データが印刷会社装置へ出力されるので、紙媒体の広告の印刷までの業務の効率を良くすることができる。
【０１１３】
本実施の形態の広告情報管理方法は、複数の代理店毎に広告素材が前記所定の審査条件に合格するか否かの合否情報の一覧を出力する。
【０１１４】
広告情報管理方法は、複数の代理店毎に広告素材（例えば、紙媒体の広告と映像の広告）が所定の審査条件に合格するか否かの合否情報の一覧を出力する。これにより、複数の代理店毎に取得した広告素材のうち、所定の審査条件に合格したものは手作業による確認作業（審査条件に合格するか否かの確認作業）を必要としないので、手作業による確認作業を必要とする広告素材と必要でない広告素材とを区別することができ、広告素材の審査時間を短縮化することができる。
【０１１５】
本実施の形態の広告情報管理方法は、複数の代理店毎に広告素材の掲出報告までの進捗状況の一覧を出力する。
【０１１６】
広告情報管理方法は、複数の代理店毎に広告素材（例えば、紙媒体の広告と映像の広告）の掲出報告までの進捗状況の一覧を出力する。進捗状況は、例えば、映像が所定のフォーマットであるか否かの判定結果、広告素材が所定の審査条件に合格したか否か、映像の広告が配信されたか否か、紙媒体の広告が印刷完了したか否か、掲出完了したか否か等のイベントを含めることができる。これにより、広告素材の掲出報告までのプロセスの進捗状況を代理店毎に管理することができる。
【符号の説明】
【０１１７】
１  ネットワーク
１０  代理店端末装置
２０  媒体社端末装置
２１  制御部
２２  通信部
２３  記憶部
２４  表示パネル
２５  表示処理部
２６  操作部
４０  印刷会社装置
５０  広告情報管理装置
５１  制御部
５２  通信部
５３  メモリ
５４  フォーマット判定部
５５  審査ＤＢ
５６  データ形式変換部
５７  フォーマット変換部
５８  処理部
５９  学習モデル
６０  審査結果出力部
【図１】
2020061098.tif 000003
【図２】
2020061098.tif 000004
【図３】
2020061098.tif 000005
【図４】
2020061098.tif 000006
【図５】
2020061098.tif 000007
【図６】
2020061098.tif 000008
【図７】
2020061098.tif 000009
【図８】
2020061098.tif 000010
【図９】
2020061098.tif 000011
【図１０】
2020061098.tif 000012
【図１１】
2020061098.tif 000013
【図１２】
2020061098.tif 000014
【図１３】
2020061098.tif 000015
【図１４】
2020061098.tif 000016
【図１５】
2020061098.tif 000017
【図１６】
2020061098.tif 000018